(57)【要約】【課題】  受け皿の上流に充満する遊技球の球抜き処理後における払い出し処理を円滑に行い、満タン検出手段の解除直後の払い出し停止を可及的に防止するパチンコ機における賞球払出装置を提供すること。【解決手段】  遊技球を払い出す賞球払出装置１５と当該賞球払出装置から払い出される遊技球を貯留する下皿９との間に設けられた通路３１に、その払い出された遊技球が充満している状態を検知する満タン検出手段３５を設け、その満タン検出手段３５のオン動作に基づいて賞球払出装置１５による遊技球の払い出しを停止し、その満タン検出手段３５のオフ動作により遊技球の払い出しを再開するように設けたパチンコ機において、満タン検出手段３５のオフ動作後の所定時間内では、賞球払出装置１５による遊技球の払い出し速度を、通常の遊技球の払い出し速度よりも遅くするようにした。【選択図】  図７
2005287916.tif 000002
【特許請求の範囲】
【請求項１】
遊技球を払い出す賞球払出装置と当該賞球払出装置から払い出される遊技球を貯留する受け皿との間に設けられた通路に、その払い出された遊技球が充満している状態を検知する満タン検出手段を設け、その満タン検出手段のオン動作に基づいて賞球払出装置による遊技球の払い出しを停止し、その満タン検出手段のオフ動作により遊技球の払い出しを再開するように設けたパチンコ機において、
前記満タン検出手段のオフ動作後の所定時間内では、前記賞球払出装置による遊技球の払い出し速度を、通常の遊技球の払い出し速度よりも遅くするように構成したことを特徴とするパチンコ機における賞球払出装置。
【請求項２】
前記賞球払出装置が、ローターをモータ装置により回転させることにより遊技球を１個ずつ払い出すと共に払い出された遊技球の通過を払出検出スイッチにより検出するように設けられ、そのモータ装置の回転速度を低下させ又はモータ装置を間欠回転作動させることにより、遊技球の払い出し速度を遅くするように設けたことを特徴とする請求項１に記載のパチンコ機における賞球払出装置。
【発明の詳細な説明】
【技術分野】
【０００１】
本発明は、パチンコ機における賞球払出装置に関するものである。
【背景技術】
【０００２】
従来のパチンコ機では、遊技球の入賞口への入賞に応じて遊技球（賞球）を払い出す賞球払出装置と賞球払出装置から払い出される遊技球を貯留する受け皿（上皿及び下皿）との間に通路を設け、その通路内に払い出された遊技球が充満している状態を満タン検出手段により検知するように設けられていて、その満タン検出手段のオン動作に基づいて賞球払出装置による遊技球の払い出しを停止し、遊技者が受け皿（下皿）の球抜きを行うことにより満タン検出手段がオフ動作となるので、遊技球の払い出しが再開されるという構成とされている。
【０００３】
前述のように、受け皿の上流に充満した遊技球の球抜き処理により満タン検出手段がオフ動作となって遊技球の払い出しが再開されるのであるが、球抜きを行なった量が少なかったり、一気に多量の遊技球が払いだされたりした場合には、満タン検出手段が直ぐにオン動作するため、球抜きを行なっても直ぐに払い出しが停止することがある。このため、遊技者が不快感を抱くという不都合がある。
【０００４】
特開２０００−３１２７６８号公報の「弾球遊技機」には、賞球払出装置から排出される賞球が通路に満ちたことを検出する満タン検出スイッチの信号に従って、その賞球払出装置を駆動制御する賞球制御基板がエラーランプを点灯させて報知し、球切モータの駆動を停止すると共に発射ハンドルの回動量に応じて発射槌の打撃力を調節する発射装置のモータの作動を停止させるという技術が開示されている。
【特許文献１】特開２０００−３１２７６８号公報
【発明の開示】
【発明が解決しようとする課題】
【０００５】
本発明の目的は、受け皿の上流に充満する遊技球の球抜き処理後における払い出し処理を円滑に行い、満タン検出手段の解除直後の払い出し停止を可及的に防止するパチンコ機における賞球払出装置を提供することにある。
【課題を解決するための手段】
【０００６】
前記目的を達成するために請求項１に記載した発明は、遊技球を払い出す賞球払出装置と当該賞球払出装置から払い出される遊技球を貯留する受け皿との間に設けられた通路に、その払い出された遊技球が充満している状態を検知する満タン検出手段を設け、その満タン検出手段のオン動作に基づいて賞球払出装置による遊技球の払い出しを停止し、その満タン検出手段のオフ動作により遊技球の払い出しを再開するように設けたパチンコ機において、前記満タン検出手段のオフ動作後の所定時間内では、前記賞球払出装置による遊技球の払い出し速度を、通常の遊技球の払い出し速度よりも遅くするように構成したことを特徴とする。
【０００７】
同様の目的を達成するために請求項２に記載した発明は、請求項１に記載のパチンコ機における賞球払出装置において、前記賞球払出装置が、ローターをモータ装置により回転させることにより遊技球を１個ずつ払い出すと共に払い出された遊技球の通過を払出検出スイッチにより検出するように設けられ、そのモータ装置の回転速度を低下させ又はモータ装置を間欠回転作動させることにより、遊技球の払い出し速度を遅くするように設けたことを特徴とするものである。
【発明の効果】
【０００８】
（請求項１の発明）
このパチンコ機における賞球払出装置は、受け皿（下皿）の上流に充満する遊技球の球抜き処理後における遊技球の払い出し処理を通常時よりもゆっくりと行うことにより、満タン検出手段の解除直後の払い出し停止を可及的に防止することができる。
【０００９】
（請求項２の発明）
このパチンコ機における賞球払出装置は、モータ装置の回転速度を低下させ又はモータ装置を間欠回転作動させることにより遊技球の払い出し速度を遅くすることにより、受け皿の上流に充満する遊技球の球抜き処理直後における遊技球の払い出し処理を円滑に行うことができる。
【発明を実施するための最良の形態】
【００１０】
以下に、本発明の最良の形態例を図面に基づいて説明する。図１はパチンコ機の正面図、図２は同、背面図、図３は賞球払出装置の斜視図、図４は賞球払出装置の要部の説明図、図５は満タン検出手段及びその周辺部分を示し、下皿が満タン状態でないときの説明図、図６は満タン検出手段及びその周辺部分を示し、下皿が満タン状態のときの説明図である。
【００１１】
図１において、ｐは本発明のパチンコ機における賞球払出装置が適用されるパチンコ機であり、長方形の外枠１の前面の左側部に前面枠２を一対のヒンジ金具３，３により軸支して開閉自在に設けている。その前面枠２の正面側には、図示しない誘導レールや各種入賞口等が配設された遊技盤１１の前面を覆う透明板ガラス５が装着されたガラス扉４、受け皿としての上皿７を備えた上皿カバー６、受け皿としての下皿９及び遊技球発射装置の発射ハンドル１０を備えた下皿カバー８とが開閉自在に取り付けられている。
【００１２】
前面枠２の後面側には、図２に示すように、遊技盤１１、球タンク１２、誘導樋１３、図示しない入賞口に遊技球の入賞があったときに所定数の遊技球（賞球）を払い出す賞球払出装置１５やこれらを制御する主制御部・払出制御部等の電子回路装置等が集約的に取り付けられている。その賞球払出装置１５と下皿９との間には前記誘導樋１３を介して球タンク１２に接続された通路３１が設けられ、賞球払出装置１５から払い出される遊技球が上皿７に流入して満杯状態になったときに、その溢れた遊技球が通路３１を介して下皿９に誘導されるように設けられている。
【００１３】
上記賞球払出装置１５は、図３に示すように、二つに分割されたほぼ同形状のケーシング片１６，２１を隔壁板２４を介して合着して一体化し、一方のケーシング片２１に固定したモータ装置としてのステッピングモータ２５の出力軸２５ａに、ほぼＳ字形の二つのロータ２６，２６を９０°の回転方向の角度を異ならせて取り付けている。なお、そのステッピングモータ２５については、払出制御部から送られるパルス信号に対応する回転角だけ回転するように制御される。
【００１４】
図４に示すように、遊技盤１１側に取り付けられるケーシング片１６には、上方に開放する供給路１７と下方に開放する排出路１８とが中央の円形空間部１９に少し位置をずらして連通するように形成されている。一方のケーシング片２１についても、前記ケーシング片１６と同様に、上方に開放する供給路２２のほか、下方に開放する排出路２３、円形空間部等が形成されている。２８は二箇所の排出路１８，２３から払い出される遊技球ｂの通過を各検出部２８ａ，２８ｂにて夫々検出するコ字形状の払出検出スイッチである。
【００１５】
しかして、この賞球払出装置１５では、遊技球（打球）の入賞口への入賞信号がパチンコ機の主制御部に送られて当該入賞口に対応する遊技球の払い出し個数が決定され、その払い出し信号を受ける払出制御部からパルス信号が送られたステッピングモータ２５を該パルス信号に対応する回転角だけ回転作動させることにより、遊技球ｂを１個ずつ払い出すように構成されている。払い出される遊技球ｂは、払出検出スイッチ２８により検出され、主制御部にて遊技球ｂの払い出し個数がカウントされる。通常の払い出し時には、ステッピングモータ２５の出力軸２５ａの１回転、即ちロータ２６，２６の１回転につき計４個の遊技球の払い出しが行なわれる。なお、以上に述べた賞球払出装置１５の基本構成及び作用については、公知の賞球払出装置と同様である。
【００１６】
そこで、本発明における賞球払出装置１５においては、満タン検出手段３５のオフ動作後の所定時間内に、後述するステッピングモータ２５の回転速度の低下又はステッピングモータ２５の間欠回転作動の何れかの駆動制御を行なうことにより、遊技球の払い出し速度を通常の払い出し速度よりも遅くすることができるように設けている。
【００１７】
前記通路３１の下流部３１ａには、賞球払出装置１５から払い出された遊技球ｂが下皿９に一杯になって連通口３１ｂより高い位置まで充満している状態を検知する満タン検出手段３５を設けている。図５において、３６は通路３１が形成されたケース３０にピン３７により軸支されて左右に揺動自由に設けられた満タン検知レバーである。この満タン検知レバー３６は、右方に傾動したときに、その受圧部３６ａがケース３０に形成された切欠部３１ｃから通路３１内へ少しだけ突出するように設けられている。３９はケース３０に取り付けられた小型リミットスイッチであり、このリミットスイッチ３９のバネ製レバー３９ａに前記満タン検知レバー３６の突起部３６ｂが接触するように配置されている。
【００１８】
しかして、賞球払出装置１５から払い出された遊技球ｂが連通口３１ｂより高い位置まで充満した場合には、図６に示すように、満タン検出手段３５の満タン検知レバー３６が遊技球ｂに押されて左方へ揺動してリミットスイッチ３９をオン動作させることにより、賞球払出装置１５のステッピングモータ２５の回転が停止し、払い出しを停止するように設けられている。また、遊技者により下皿９に溜まった遊技球の球抜きが行なわれた場合には、リミットスイッチ３９がオフ動作になり、賞球払出装置１５のステッピングモータ２５の回転がスタートし、払い出しが所定条件に基づいて再開されるように設けられている。また、遊技球ｂが満タン検知レバー３６の受圧部３６ａに衝突する等によってリミットスイッチ３９を一瞬オン動作させてしまう誤動作を防止するために、当該スイッチ３９が０．２秒以上オン動作したときには払い出しを停止させるように設けられている。
【００１９】
つぎに、本発明にかかる賞球払出装置１５において、（イ）ステッピングモータの回転速度を遅くする（低下させる）モードと、（ロ）ステッピングモータを間欠回転作動させるモードについて説明する。
【００２０】
（イ）ステッピングモータの回転速度を遅くするモード
通常の払い出し時には、ロータ２６，２６が毎秒５回転することにより毎秒２０個の割合で遊技球が払い出される。他方、賞球払出装置１５から払い出された遊技球ｂが連通口３１ｂより高い位置まで充満し満タン検出手段３５のリミットスイッチ３９がオン動作して払い出しが停止された場合、遊技者により下皿９に溜まった遊技球の球抜きが行なわれると、満タン検出手段３５のリミットスイッチ３９はオフ動作となる。そのリミットスイッチ３９のオフ動作後の所定時間、例えば３０秒間について、ロータ２６，２６の回転数を毎秒２．５回転に低下させるように制御を行えば、毎秒１０個、３０秒間で計３００個の遊技球が払い出されることになる。
【００２１】
（ロ）ステッピングモータを間欠回転させるモード
前述した満タン検出手段３５のリミットスイッチ３９のオフ動作後の所定時間、例えば３０秒間について、ステッピングモータ２５を間欠回転作動に変更させることにより、遊技球の払い出し速度を通常の払い出し速度よりも遅くするように設けることができる。
即ち、ロータ２６，２６の回転数は毎秒５回転であるが、リミットスイッチ３９のオフ動作後の５秒間はステッピングモータ２５の駆動停止、その後の５秒間はステッピングモータ２５を駆動し、その後の５秒間はステッピングモータ２５の駆動停止、その後の５秒間はステッピングモータ２５を駆動し、その後の５秒間はステッピングモータ２５の駆動停止、その後の５秒間はステッピングモータ２５を駆動させるように制御することにより、３０秒間に計３００個の遊技球が払い出される。
【００２２】
本発明のパチンコ機における賞球払出装置の作動について、図面及び図７に示すフローチャートに基づいて説明する。
（１）図６に示すように、賞球払出装置１５から払い出された多量の遊技球ｂが下皿９に溜まって連通口３１ｂより高い位置まで充満した場合には、満タン検出手段３５の満タン検知レバー３６が遊技球ｂに押されて左方へ揺動してリミットスイッチ３９をオン動作させる（Ｓ５１）。これにより、賞球払出装置１５による払い出しが停止される（Ｓ５２）。
（２）（１）において遊技者により下皿９に溜まった遊技球ｂの球抜きが行なわれた場合には、図５に示すように、リミットスイッチ３９がオフ動作になるので（Ｓ５３，ＹＥＳ）、そのオフ動作後の３０秒間内については、（イ）のステッピングモータの回転速度を遅くするモードによる払い出しが行なわれる（Ｓ５４）。
ただし、遊技球ｂの球抜きがされないか、不充分であるときには、リミットスイッチ３９はオフ動作状態のままのため（Ｓ５３，ＮＯ）、賞球払出装置１５の払い出しは再開されない。
（３）リミットスイッチ３９のオフ動作から３０秒間経過すると（Ｓ５５，ＹＥＳ）、ステッピングモータ２５の回転速度は通常回転に移行し、通常の払い出しが行なわれる（Ｓ５６）。上記（１）〜（３）に記載された一連の動作が行なわれる。
【００２３】
以上に述べた通り、このパチンコ機における賞球払出装置は、下皿の上流に充満する遊技球の球抜き処理後における遊技球の払い出し処理を通常時よりもゆっくりと行うことにより、満タン検出手段の解除直後の払い出し停止を可及的に防止することができる。
【図面の簡単な説明】
【００２４】
【図１】パチンコ機の正面図
【図２】同、背面図
【図３】賞球払出装置の斜視図
【図４】賞球払出装置の要部の説明図
【図５】満タン検出手段及びその周辺部分を示し、下皿が満タン状態でないときの説明図
【図６】満タン検出手段及びその周辺部分を示し、下皿が満タン状態のときの説明図
【図７】賞球払出装置による払い出し処理順序を説明するフローチャート
【符号の説明】
【００２５】
ｐ・・・パチンコ機
ｂ・・・遊技球（賞球）
７・・・上皿（受け皿）
９・・・下皿（受け皿）
１５・・・賞球払出装置
２５・・・ステッピングモータ（モータ装置）
２６，２６・・・ロータ
２８・・・払出検出スイッチ
３１・・・通路
３５・・・満タン検出手段
３６・・・満タン検知レバー
３９・・・リミットスイッチ
【図１】
2005287916.tif 000003
【図２】
2005287916.tif 000004
【図３】
2005287916.tif 000005
【図４】
2005287916.tif 000006
【図５】
2005287916.tif 000007
【図６】
2005287916.tif 000008
【図７】
2005287916.tif 000009